(57)【要約】【課題】航海中に発生した事象がより明確に記録可能な船舶用画像管理装置を提供する。【解決手段】船舶に搭載された海図表示装置は、携帯端末２で撮影された撮影画像３２１を受信して撮影画像データベース３２に記憶し、タッチパネル３４を利用して撮影画像３２１上に書き込まれた書込情報３３１を書込情報データベース３３に記憶する。撮影画像３２１を複数の船舶で共有利用するために画像配信設備４に送信する場合には、撮影画像３２１に書込情報３３１を合成し、撮影画像３２１の付帯情報に撮影画像の撮影位置、撮影方向などの航海情報を付加した合成画像ＣＰを生成してから送信する。【選択図】図１１
2019074970.tif 000002
【特許請求の範囲】
【請求項１】
船舶に設置され、
航海中の撮影画像を記憶する撮影画像記憶手段と、
前記撮影画像に任意の情報を書き込むための情報書込手段と、
前記情報書込手段による書込情報を前記撮影画像と対応付けて記憶する書込情報記憶手段と、
前記撮影画像を表示手段に表示する際に、前記撮影画像に対応付けられた前記書込情報を重ね合わせる表示制御手段と、
を備えることを特徴とする船舶用画像管理装置。
【請求項２】
前記撮影画像を船舶外の外部サーバに送信する際に、前記撮影画像に前記書込情報を合成して合成画像を生成する情報統合手段と、
前記合成画像を前記外部サーバに送信する外部通信手段と、
を備えることを特徴とする請求項１に記載の船舶用画像管理装置。
【請求項３】
前記情報統合手段は、前記撮影画像の付帯情報に、航海に関する航海情報を付加する、
ことを特徴とする請求項２に記載の船舶用画像管理装置。
【請求項４】
前記情報統合手段は、前記付帯情報を暗号化する、
ことを特徴とする請求項３に記載の船舶用画像管理装置。
【請求項５】
前記撮影画像記憶手段には、前記外部サーバと共通の参照画像が記憶されており、前記参照画像に前記情報書込手段によって任意の情報が書き込まれた場合には、前記情報書込手段による書込情報のみを前記外部サーバに送信する、
ことを特徴とする請求項２ないし４のいずれか１項に記載の船舶用画像管理装置。
【請求項６】
前記付帯情報に付加される前記航海情報には、前記撮影画像の撮影位置と、撮影方向とが含まれる、
ことを特徴とする請求項３または４に記載の船舶用画像管理装置。
【請求項７】
前記書込情報は、前記撮影画像に書き込まれた任意の情報の追加、削除および修正に関する履歴情報を含む、
ことを特徴とする請求項１ないし６いずれか１項に記載の船舶用画像管理装置。
【発明の詳細な説明】
【技術分野】
【０００１】
本発明は、航海中の撮影画像を管理するための船舶用画像管理装置に関する。
【背景技術】
【０００２】
航海に際して従来は紙製の海図が使用されていたが、近年は海図を電子データ化して端末に表示できるようにした電子海図が普及し始めている。この電子海図を表示する海図表示装置には、電子海図上に変針点を順次設定することにより航路設定する航路計画機能を備えたものや、電子海図上に任意の情報（メモなどの文章）を書き込む機能を備えたものなどが知られている（例えば、特許文献１参照）。この海図装置によれば、航行中に発生した様々な事象（例えば、天候の変化や船舶の故障、事故など）を、電子海図上の座標（緯度、経度）に対応付けて記録することができる。
【０００３】
ところで、航海中に発生した様々な事象を簡単、かつ確認しやすく記録するために、デジタルカメラやスマートフォンで撮影した撮影画像が利用されている。例えば、天候の変化や、船舶の故障・事故、初めて航行する航路や初めて確認する物標の様子、初めて入港する港湾の様子など、航海中に発生する様々な事象を撮影画像で記録しておけば、文章などで記録する場合に比べてより簡単に記録することができ、かつ視覚的に確認しやすくなる。
【先行技術文献】
【特許文献】
【０００４】
【特許文献１】特開２００２−１６９４６３号公報
【発明の概要】
【発明が解決しようとする課題】
【０００５】
しかしながら、航海中に発生した事象を後で確認するような場合、撮影画像だけでは、その事象がいつどこで発生したのか、どのような状況で発生したのかなどが不明確になる場合がある。
【０００６】
そこで本発明は、航海中に発生した事象がより明確に記録可能な船舶用画像管理装置を提供することを目的とする。
【課題を解決するための手段】
【０００７】
上記課題を解決するために、請求項１に記載の発明は、船舶に設置され、航海中の撮影画像を記憶する撮影画像記憶手段と、前記撮影画像に任意の情報を書き込むための情報書込手段と、前記情報書込手段による書込情報を前記撮影画像と対応付けて記憶する書込情報記憶手段と、前記撮影画像を表示手段に表示する際に、前記撮影画像に対応付けられた前記書込情報を重ね合わせる表示制御手段と、を備えることを特徴とする船舶用画像管理装置である。
【０００８】
請求項１に記載の発明によれば、撮影画像に情報書込手段によって任意の情報を書き込むと、撮影画像と情報書込手段による書込情報は、それぞれ別々の撮影画像記憶手段と書込情報記憶手段とによって記憶されて管理される。撮影画像を表示手段に表示して参照する際には、表示制御手段によって撮影画像に書込情報が重ね合わされて表示される。
【０００９】
請求項２に記載の発明は、請求項１に記載の船舶用画像管理装置であって、前記撮影画像を船舶外の外部サーバに送信する際に、前記撮影画像に前記書込情報を合成して合成画像を生成する情報統合手段と、前記合成画像を前記外部サーバに送信する外部通信手段と、を備えることを特徴とする。
【００１０】
請求項３に記載の発明は、請求項２に記載の船舶用画像管理装置であって、前記情報統合手段は、前記撮影画像の付帯情報に、航海に関する航海情報などを付加する、ことを特徴とする。
【００１１】
請求項４に記載の発明は、請求項３に記載の船舶用画像管理装置であって、前記情報統合手段は、前記付帯情報を暗号化する、ことを特徴とする。
【００１２】
請求項５に記載の発明は、請求項２ないし４のいずれか１項に記載の船舶用画像管理装置であって、前記撮影画像記憶手段には、前記外部サーバと共通の参照画像が記憶されており、前記参照画像に前記情報書込手段によって任意の情報が書き込まれた場合には、前記情報書込手段による書込情報のみを前記外部サーバに送信する、ことを特徴とする。
【００１３】
請求項６に記載の発明は、請求項３または４に記載の船舶用画像管理装置であって、前記付帯情報に付加される前記航海情報には、前記撮影画像の撮影位置と、撮影方向とが含まれる、ことを特徴とする。
【００１４】
請求項７に記載の発明は、請求項１ないし６のいずれか１項に記載の船舶用画像管理装置であって、前記書込情報は、前記撮影画像に書き込まれた任意の情報の追加、削除および修正に関する履歴情報を含む、ことを特徴とする。
【発明の効果】
【００１５】
請求項１に記載の発明によれば、撮影画像に任意の情報を書き込むことができるので、航海中に発生した様々な事象を明確に記録することが可能となる。また、撮影画像と書込情報とを別々に記憶・管理するので、客観的な記録情報である撮影画像を変更することなく管理することが可能である。また、撮影情報のみを流用して新たな情報の書き込みに利用することも可能となる。
【００１６】
請求項２に記載の発明によれば、撮影画像を船舶外の外部サーバに送信するので、外部サーバを介して撮影画像を複数の船舶で共用することが可能となる。また、撮影画像を外部サーバに送信する際に、撮影画像に書込情報を合成して合成画像を生成し、この合成画像を送信するようにしたので、撮影画像と書込情報という異なる２つのデータを送信する場合に比べて、画像データの場合には圧縮率を高くすることができ、送信するデータ量を小さくすることが可能となる。
【００１７】
請求項３に記載の発明によれば、撮影画像の付帯情報に、航海に関する航海情報などを付加するので、合成画像だけで撮影画像が撮影された状況などを把握することが可能となる。また、付帯情報は、撮影画像が予め備えている情報であるため、航海情報の付加によるデータ量の増加もない。
【００１８】
請求項４に記載の発明によれば、付帯情報を暗号化してから外部サーバに送信するので、付帯情報に秘匿性の高い情報を付加した場合の情報保護を図ることができる。
【００１９】
請求項５に記載の発明によれば、外部サーバと共通の参照画像に任意の情報が書き込まれた場合には、情報書込手段による書込情報のみを外部サーバに送信するので、重複する参照画像の分だけ送信データ量を減らすことが可能である。
【００２０】
請求項６に記載の発明によれば、付帯情報に付加される航海情報には、撮影画像の撮影位置と、撮影方向とが含まれるので、撮影画像が海上のどの位置で、どのような方向を向いて撮影されたのかを把握することが可能となる。
【００２１】
請求項７に記載の発明によれば、書込情報に、情報の追加、削除および修正に関する履歴情報を含むようにしたので、書込情報について複数世代の管理を行うことができ、修正前の書込情報に戻したりするなどの編集作業が容易になる。
【図面の簡単な説明】
【００２２】
【図１】この発明の実施の形態に係る船舶用画像配信システムの構成を示す概略図である。
【図２】図１の海図表示装置の構成を示すブロック図である。
【図３】図２の撮影画像データベースの構成を示す説明図である。
【図４】図３の撮影画像のデータ構成を示す説明図である。
【図５】図２の書込情報データベースの構成を示す説明図である。
【図６】タッチパネルに電子海図が表示されている状態を示す説明図である。
【図７】タッチパネルに撮影画像が表示されている状態を示す説明図である。
【図８】タッチパネルに撮影画像と書込情報とが重ね合わされて表示されている状態を示す説明図である。
【図９】図１の画像配信設備の構成を示すブロック図である。
【図１０】タッチパネルに電子海図と配信画像とが表示されている状態を示す説明図である。
【図１１】撮影画像の管理手順を示す処理フロー図である。
【図１２】参照画像に書き込まれた書込情報の管理手順を示す処理フロー図である。
【図１３】配信画像の選択範囲を示す説明図である。
【発明を実施するための形態】
【００２３】
以下、この発明を図示の実施の形態に基づいて説明する。
【００２４】
図１〜図１３は、この発明の実施の形態を示し、図１は、この実施の形態に係る船舶用画像配信システム１を示す概略図である。船舶用画像配信システム１は、航海中に発生する様々な事象の記録に利用される携帯端末２と、船舶Ｓに搭載された海図表示装置３（船舶用画像管理装置）と、船舶外である陸地に設置された画像配信設備（外部サーバ）４とを備える。海図表示装置３と携帯端末２とは、船内通信網ＮＷ１を介して通信自在に接続され、海図表示装置３と画像配信設備４とは、外部通信網ＮＷ２を介して通信自在に接続されている。
【００２５】
ここで、この実施の形態では、携帯端末２で航海中に撮影された撮影画像と、撮影画像に書き込まれた任意の情報である書込情報とを海図表示装置３で記憶・管理し、海図表示装置３から画像配信設備４に撮影画像と記憶情報とを合成した合成画像を送信・蓄積して共用化を図り、蓄積した合成画像（配信画像）を要求があった船舶Ｓの海図表示装置３に配信する場合について、主に説明する。
【００２６】
携帯端末２は、船舶Ｓに搭乗した船長や船員などによって操作される端末であり、例えば、スマートフォンやタブレット型端末などの情報機器が用いられる。携帯端末２には、通信機能と撮影機能とが設けられており、船舶Ｓ内で船員同士の連絡に利用される他、航海中に発生した様々な事象を撮影して記録するためにも利用される。携帯端末２で撮影された撮影画像は、上述した船内通信網ＮＷ１を介して海図表示装置３に送信（アップロード）される。携帯端末２から海図表示装置３への撮影画像のアップロードは、例えば、携帯端末２で撮影画像を選択してから送信操作を行うようにしてもよいし、携帯端末２に画像送信用の専用アプリケーションをインストールし、このアプリケーションにより全ての撮影画像が自動的に海図表示装置３へ送信されるようにしてもよい。このような専用アプリケーションを利用すれば、面倒な送信操作を行う必要がなくなり、航海中の撮影画像を漏れなく全て記憶、管理することが可能である。また、携帯端末２は、スマートフォンなどの情報機器に限定されず、通信機能を備えたデジタルカメラなどの撮影機器なども含まれる。
【００２７】
航海中に発生する様々な事象とは、例えば、天候の変化や、船舶の故障・事故、初めて航行する航路や初めて確認する物標の様子、初めて入港する港湾の様子などである。また、航海中に発生する事象は、携帯端末２で撮影するだけでなく、いわゆるドライブレコーダや、固定設置したデジタルカメラ、ウェブカメラなどの撮像装置で常時あるいは定期的に撮影を行うようにしてもよい。この場合には、撮像装置から海図表示装置３に撮影画像が自動的に送信されるようにすることが望ましい。
【００２８】
海図表示装置３は、電子海図を表示するための装置であり、複数の動作モードを備えている。海図表示モードは、電子海図を表示するとともに、電子海図上に自船の位置を表示するモードである。画像表示モードは、携帯端末２から受信した撮影画像を表示するとともに、撮影画像に任意の情報を書き込んで画像配信設備４に送信するためのモードである。画像参照モードは、画像配信設備４から受信した配信画像を電子海図とともに表示し、電子海図の参考画像として配信画像を参照するモードである。
【００２９】
画像配信設備４は、各船舶Ｓへ、航海中に参照される配信画像を配信するための装置であり、本発明の外部サーバに相当する。画像配信設備４は、海図表示装置３から受信した合成画像を配信画像として記憶・管理する機能、海図表示装置３からの配信要求を受けて、配信要求に適合した配信画像を選択する機能、選択した配信画像を海図表示装置３へ配信する機能などを備えている。
【００３０】
図２は、海図表示装置３の概略的な構成を示すブロック図である。海図表示装置３は、海図情報データベース３１、撮影画像データベース（撮影画像記憶手段）３２、書込情報データベース（書込情報記憶手段）３３、タッチパネル（表示手段、情報書込手段）３４、海図処理部３５、情報統合部（情報統合手段）３６、表示制御部（表示制御手段）３７、配信要求部３８、外部通信部（外部通信手段）３９、船内通信部３Ａ、および中央処理部３Ｂなどを備える。中央処理部３Ｂは、海図表示装置３を海図表示モードと、画像表示モードと、画像参照モードとの間で切り替えるとともに、各部が各動作モードで所定の動作をするように統括的に制御する。
【００３１】
海図情報データベース３１は、電子海図を記憶する。すなわち、海図表示モードでは、海図情報データベース３１から電子海図が読み出されて、タッチパネル３４に表示される。撮影画像データベース３２は、携帯端末２で撮影された撮影画像を記憶する。書込情報データベース３３は、撮影画像に書き込まれた任意の情報を、撮影画像に対応付けられた書込情報として記憶する。このように、撮影画像と書込情報とは対応付けられて別々に記憶されているので、客観的な記録情報である撮影画像を変更することなく管理することができる。
【００３２】
タッチパネル３４は、海図表示モードにおいて電子海図を表示し、画像表示モードでは撮影画像および書込情報などを表示し、画像参照モードでは電子海図と配信画像とを表示する。また、タッチパネル３４は、海図表示装置３の操作に利用されるとともに、撮影画像に任意の情報を指やタッチペンなどを利用して手書きで書き込むための情報書込手段としても機能する。
【００３３】
海図処理部３５は、海図表示モードにおいて、海図情報データベース３１から電子海図を読み出し、読み出した電子海図と、自船の位置とをタッチパネル３４に表示するためのタスク・プログラムである。なお、海図処理部３５は、画像参照モードでも作動し、電子海図とともに配信画像を表示する。
【００３４】
情報統合部３６は、画像表示モードにおいて、撮影画像に情報の統合を行うためのタスク・プログラムである。情報統合部３６は、撮影画像を画像配信設備４に送信する際に、撮影画像に書込情報を合成して合成画像を生成する。また、情報統合部３６は、撮影画像に付帯された付帯情報に、航海に関する航海情報などを付加する。この航海情報には、例えば、撮影画像の撮影位置および撮影方向の他、船舶Ｓの位置や速度、針路、船舶Ｓのエンジンに関する情報などの船舶情報や、天候に関する情報など、航海中に取得した各種情報が含まれる。さらに、情報統合部３６は、付帯情報に付加された航海情報を保護するために付帯情報を暗号化する。当然ながら、画像配信設備４では、合成画像を受信すると、付帯情報を復号してから記憶・管理する。
【００３５】
表示制御部３７は、画像表示モードにおいて、撮影画像と書込情報との表示制御を行うタスク・プログラムである。表示制御部３７は、撮影画像と書込情報とをタッチパネル３４に表示する際に、撮影画像に書込情報を重ね合わせ、撮影画像上に任意の情報が書き込まれているように表示させる。
【００３６】
配信要求部３８は、画像参照モードにおいて、画像配信設備４に配信画像の配信要求を行うタスク・プログラムである。配信要求部３８は、船舶Ｓの位置および針路を含む配信要求を生成し、外部通信部３９を介して画像配信設備４に送信する。
【００３７】
外部通信部３９は、船舶外の装置と通信を行うための通信部であり、画像配信設備４に合成画像を送信する。また、画像配信設備４に向けて配信画像の配信要求を送信し、画像配信設備４から配信された配信画像を受信する。船内通信部３Ａは、船舶Ｓ内の装置と通信を行うための通信部であり、携帯端末２から送信された撮影画像を受信する。
【００３８】
海図表示装置３には、船舶Ｓの位置情報を取得するＧＰＳ受信装置５１と、船舶Ｓ内に接地されたセンサなどから取得した船舶情報を記憶する船舶情報データベース５２とが接続されている。船舶情報データベース５２には、上述した船舶Ｓの位置、速度および針路の他、船舶Ｓのエンジンに関する情報なども記憶されている。情報統合部３６は、撮影画像の付帯情報に船舶情報を付加する際に、船舶情報データベース５２を参照する。
【００３９】
図３に示すように、撮影画像データベース３２には、携帯端末２で撮影された多数の撮影画像３２１とともに、画像配信設備４と共通の参照画像３２２が記憶されている。参照画像３２２は、例えば、船舶Ｓの図面などであり、航海中に船舶Ｓに故障や事故などが発生した場合に参照できるように、撮影画像データベース３２と画像配信設備４とに共通して記憶されている。上述した情報統合部３６では、画像表示モードで参照画像３２２に任意の情報が書き込まれた場合に、参照画像３２２と書込情報との合成は行わず、書込情報のみを画像配信設備４に送信する。これにより、重複する参照画像３２２が送信されるのを防ぐとともに、送信データ量を少なくすることができる。なお、画像配信設備４では、参照画像３２２の書込情報を受信した場合に、自身が記憶する参照画像と合成して合成画像を生成し、この合成画像を配信画像として記憶する。
【００４０】
図４は、撮影画像３２１の構成を示している。撮影画像３２１は、例えば、Ｅｘｉｆ（Exchangeable image file format）規格で定められるファイルフォーマットを有し、画像のデータが格納された本体情報３２１ａと、撮影したカメラに関する情報や撮影条件などの各種撮影情報を格納された付帯情報３２１ｂとを備えている。付帯情報３２１ｂには、予め格納する情報の種類が決められた格納部の他、カメラメーカなどが独自情報の格納に利用可能な自由格納部が用意されている。上述した情報統合部３６は、この付帯情報３２１ｂの自由格納部に航海情報を付加する。
【００４１】
情報統合部３６で生成される合成画像は、上述した撮影画像３２１の本体情報３２１ａに書込情報が合成され、付帯情報３２１ｂに撮影画像の撮影位置および撮影方向の他、船舶Ｓの位置や速度、針路およびエンジン情報などの船舶情報、および天候情報などが付加されたものであり、構成自体は撮影画像３２１と同様である。
【００４２】
図５に示すように、書込情報データベース３３は、タッチパネル３４を利用して撮影画像３２１の上に書き込まれた任意の情報を、書込情報３３１として記憶している。書込情報３３１は、書き込まれた任意の情報を、例えばイメージデータとして格納した本体情報３３１ａと、対応する撮影画像３２１に関する情報（例えば、対応する撮影画像のファイル名など）が格納された付帯情報３３１ｂと、任意の情報の追加、削除および修正に関する履歴が格納された履歴情報３３１ｃとを備える。履歴情報３３１ｃには、例えば、数世代分の履歴が記録されており、画像表示モードで書込情報３３１を表示する際に、世代を遡って書込情報を表示することが可能である。
【００４３】
図６は、タッチパネル３４に表示された電子海図ＥＣの一例を示している。海図表示モードでは、海図情報データベース３１から電子海図ＥＣが読み出され、船舶Ｓの位置に応じた海域がタッチパネル３４に表示される。また、この電子海図ＥＣには、ＧＰＳ受信装置５１によって取得した自船位置を示すマーカＳＭが表示される。
【００４４】
図７は、タッチパネル３４に表示された撮影画像３２１の一例を示し、例えば、海上に浮かんだブイ３２１ｄが表されている。画像表示モードでは、撮影画像データベース３２から任意の撮影画像３２１が読み出されてタッチパネル３４に表示される。
【００４５】
図８は、タッチパネル３４に表示された撮影画像３２１および書込情報３３１の一例を示し、例えば、図７のブイ３２１ｄの先端に生じている損傷を指摘するため、撮影画像３２１上に、指やタッチペンで「損傷あり」というメモＭ１と矢線Ｍ２とが書き込まれている。
【００４６】
図９は、画像配信設備４の概略的な構成を示すブロック図である。画像配信設備４は、配信画像データベース（配信画像記憶手段）４１と、配信サーバ４２とを備える。配信画像データベース４１は、海図表示装置３から受信した合成画像を配信画像として記憶・管理する。なお、配信画像は、受信した合成画像を配信用の画像として転用するだけなので、配信画像の構成等についての詳しい説明は省略する。
【００４７】
配信サーバ４２は、汎用のコンピュータで構成され、通信部４２１と、画像登録部４２２と、画像配信部（画像配信手段）４２３と、これらを制御などする中央処理部４２４と、を備える。通信部４２１は、船舶Ｓの海図表示装置３などと通信するためのインターフェイスである。
【００４８】
画像登録部４２２は、海図表示装置３から合成画像を受信すると、この合成画像を配信画像データベース４１に登録するタスク・プログラムである。すなわち、通信部４２１を介して海図表示装置３から合成画像を受信すると、付帯情報を復号するとともに、この合成画像に識別情報を付して、配信画像として配信画像データベース４１に登録・記憶する。ここで、同じ海域で撮影された画像ごと、同じ船舶ごと、同種の船舶ごとに合成画像をグルーピングし、海域名などのキーワードを付与して配信画像データベース４１に登録してもよく、これにより、画像配信部４２３における配信画像の検索が迅速、容易に行えるようになる。
【００４９】
また、画像登録部４２２は、海図表示装置３で参照画像３２２に任意の情報が書き込まれ、その書込情報を海図表示装置３から受信した場合には、配信画像データベース４１から対応する参照画像を読み出し、この読み出した参照画像に書込情報を合成して合成画像を生成し、この合成画像を配信画像として配信画像データベース４１に記憶する。これにより、書込情報が書き込まれた参照画像３２２も、配信画像として共有可能となる。
【００５０】
画像配信部４２３は、海図表示装置３から、船舶Ｓの位置および針路などを含む配信要求を受信した場合に、この配信要求に適合する配信画像を配信画像データベース４１から取得して、海図表示装置３に配信するタスク・プログラムである。すなわち、通信部４２１を介して配信要求を受信すると、この配信要求中の船舶の位置および針路に適合・一致する配信画像を配信画像データベース４１から検索、取得して、この配信画像を配信要求の送信先である海図表示装置３に通信部４２１を介して送信するものである。
【００５１】
具体的には、画像配信部４２３は、配信要求に基づいて、船舶Ｓの位置および進行方向などに対する配信エリアを設定し、この配信エリア内で過去に撮影された配信画像を検索して海図表示装置３に配信する。このように、配信エリア内の配信画像のみを配信し、配信エリア外の配信画像を除外することで、例えば、配信画像が多数存在する海域などで、不必要に大量の配信画像が配信されるのを防ぐことができる。
【００５２】
図１０は、画像参照モードにおいて、タッチパネル３４に表示される電子海図ＥＣの一例を示している。画像参照モードでは、電子海図ＥＣの下方に画像配信設備４から配信された配信画像ＤＰ１〜ＤＰ６が小さく、いわゆるサムネイル表示される。また、電子海図ＥＣ上には、各配信画像ＤＰ１〜ＤＰ６の撮影位置および撮影方向を表すアイコンＩＣ１〜ＩＣ６が表示される。例えば、アイコンＩＣ１をタッチパネル３４上で選択すると、選択されたアイコンＩＣ１の色などが変化して選択状態であることを表し、選択されたアイコンＩＣ１に対応する配信画像ＤＰ１が強調表示され、電子海図ＥＣの右側方にサムネイル表示よりも大きく表示される。なお、詳しくは図示しないが、サムネイル表示された配信画像ＤＰ１〜ＤＰ６、または電子海図ＥＣの右方の配信画像ＤＰ１を選択操作することで、選択した配信画像ＤＰ１をタッチパネル３４に全画面表示してもよい。
【００５３】
次に、図１１を参照して、本実施の形体における撮影画像３２１および書込情報３３１の管理手順について説明する。携帯端末２で撮影された撮影画像３２１は、海図表示装置３に送信され、撮影画像データベース３２に記憶・管理される。また、海図表示装置３の画像表示モードにおいてタッチパネル３４に表示された撮影画像３２１の上には、タッチパネル３４を利用して任意の情報が書き込まれ、書き込まれた情報は、書込情報３３１として書込情報データベース３３に記憶・管理される。
【００５４】
海図表示装置３の情報統合部３６は、画像表示モードにおいて撮影画像３２１を画像配信設備４に送信する際に、撮影画像３２１の付帯情報３２１ｂに、撮影画像の撮影位置および撮影方向と、船舶情報データベース５２から読み出した船舶情報とを付加するとともに、撮影画像３２１に書込情報３３１を合成して合成画像ＣＰを生成する。また、合成画像ＣＰの付帯情報は、情報統合部３６によって暗号化される。生成された合成画像ＣＰは、外部通信部３９を介して画像配信設備４に送信される。
【００５５】
配信サーバ４２の画像登録部４２２は、受信した合成画像ＣＰの付帯情報を復号するとともに、この合成画像に識別情報を付して、配信画像として配信画像データベース４１に登録する。
【００５６】
次に、図１２を参照して、図面などの参照画像３２２に任意の情報が書き込まれた場合について説明する。例えば、航海中に船舶Ｓに故障や事故などが発生した場合、海図表示装置３の画像表示モードにおいて、撮影画像データベース３２から船舶Ｓの図面などの参照画像３２２が読み出され、タッチパネル３４に表示される。表示された参照画像３２２の上には、タッチパネル３４を利用して、故障や事故の位置などの任意の情報が書き込まれ、書き込まれた情報は、書込情報３３１として書込情報データベース３３に記憶・管理される。
【００５７】
海図表示装置３の中央処理部３Ｂは、書込情報データベース３３から参照画像３２２に書き込まれた書込情報３３１を読み出し、外部通信部３９を介して画像配信設備４に送信する。配信サーバ４２の画像登録部４２２は、受信した書込情報３３１の付帯情報３３１ｂを参照して、対応する参照画像３２２を配信画像データベース４１から読み出し、この参照画像３２２に書込情報３３１を合成した配信画像を生成し、生成した配信画像に識別情報を付して、配信画像データベース４１に登録する。
【００５８】
この実施の形態に係る海図表示装置３によれば、撮影画像３２１に任意の情報を書き込むことができるので、航海中に発生した様々な事象を明確に記録することが可能となる。また、撮影画像３２１と書込情報３３１とを別々に記憶・管理するので、客観的な記録情報である撮影画像３２１を変更することなく管理することが可能である。また、撮影情報３２１のみを流用して新たな情報の書き込みに利用することも可能となる。
【００５９】
また、撮影画像３２１を船舶Ｓ外の外部サーバである画像配信設備４に送信するので、画像配信設備４を介して撮影画像３２１を複数の船舶で共用することが可能となる。また、撮影画像３２１を画像配信設備４に送信する際に、撮影画像３２１に書込情報３３１を合成して合成画像ＣＰを生成し、この合成画像ＣＰを送信するようにしたので、撮影画像３２１と書込情報３３１という異なる２つのデータを送信する場合に比べてデータの圧縮率を高くすることができ、送信するデータ量を小さくすることが可能となる。
【００６０】
さらに撮影画像３２１に付帯されている付帯情報３２１ｂに、撮影画像の撮影位置および撮影方向と、船舶Ｓの位置や速度、針路などの船舶情報を含む航海情報を付加するようにしたので、合成画像ＣＰだけで撮影画像３２１が撮影された状況などを把握することが可能となる。また、付帯情報３２１ｂは、撮影画像３２１が予め備えている情報であるため、航海情報の付加によるデータ量の増加もない。
【００６１】
また、付帯情報３２１ｂを暗号化してから画像配信設備４に送信するので、付帯情報３２１ｂに秘匿性の高い航海情報などを付加した場合の情報保護を図ることができる。
【００６２】
さらに、画像配信設備４と共通の参照画像３２２に任意の情報が書き込まれた場合には、書込情報３３１のみを画像配信設備４に送信するので、重複する参照画像３２２の分だけ送信データ量を減らすことが可能である。
【００６３】
また、付帯情報３２１ｂには、撮影画像３２１が撮影された際の撮影画像の撮影位置および撮影方向とが付加されるので、撮影画像３２１が海上のどの位置で、どの方向を向いて撮影されたかを把握することが可能となる。
【００６４】
さらに、書込情報３３１に、情報の追加、削除および修正に関する履歴情報３３１ｃを含むようにしたので、書込情報３３１について複数世代の管理を行うことができ、修正前の書込情報３３１に戻したりするなどの編集作業が容易になる。
【００６５】
次に、図１３を参照して、本実施の形体における配信画像の配信手順について説明する。海図表示装置３は、画像参照モードに設定されると、船舶Ｓの位置および針路を含む配信要求を配信要求部３８で生成して、画像配信設備４に送信する。画像配信設備４の画像配信部４２３は、配信要求に基づいて、船舶Ｓの位置および進行方向に対する配信エリアＲを設定し、この配信エリアＲ内で過去に撮影された配信画像ＤＰａを配信画像データベース４１から検索する。また、画像配信部４２３は、検索した配信画像ＤＰａを通信部４２１によって海図表示装置３に配信する。なお、配信エリアＲ外の配信画像ＤＰｂは、配信画像データベース４１の検索から除外されるので、海図表示装置３には配信されない。
【００６６】
この実施の形態に係る船舶用画像配信システム１によれば、過去の航海で撮影された配信画像ＤＰを配信画像データベース４１に蓄積するので、他の船舶が航海中に撮影した画像を共有して、航海の参考にすることが可能である。したがって、実際には行ったことのない海域や港湾であっても、事前に配信画像ＤＰを取得して確認しておけば、従来のように事前知識がない状態で航行する場合に比べて格段に安全に航行することが可能となり、航行の安全性向上を図ることが可能となる。また、船舶Ｓの位置および進路を含む配信要求に基づいて配信される画像が選択されるので、不必要な配信画像が配信されてしまうのを防ぐことができ、実際の航行に必要な配信画像のみを受信して航行することができるので、航行の安全性向上を図ることが可能となる。
【００６７】
また、配信要求に基づいて、船舶の位置および進行方向に対する配信エリアＲを設定し、配信エリアＲ内で撮影された配信画像ＤＰを配信するので、航行する船舶Ｓの数が多い海域であっても、実際に航行している位置で参照するのに必要な配信画像ＤＰのみを選択して配信することが可能となる。
【００６８】
さらに、配信画像ＤＰを受信すると、電子海図ＥＣ上に配信画像ＤＰの撮影位置および撮影方向を表すアイコンＩＣを表示し、アイコンＩＣが選択されると、アイコンＩＣに対応する配信画像ＤＰを拡大表示するようにしたので、電子海図ＥＣの参考として配信画像ＤＰを参照することができる。また、アイコンＩＣを選択するだけで、拡大表示される配信画像ＤＰを切り替えることができるので、複数の配信画像ＤＰが配信された場合でも、容易に表示を切り替えて参照することが可能となる。
【００６９】
また、配信画像ＤＰは、電子海図ＥＣと並べて表示されるので、画面表示を切り替える必要がなく、電子海図ＥＣと配信画像ＤＰとを見比べながら航行することができるので、航行の安全性向上を図ることが可能となる。
【００７０】
以上、この発明の実施の形態について説明したが、具体的な構成は、上記の実施の形態に限られるものではなく、この発明の要旨を逸脱しない範囲の設計の変更等があっても、この発明に含まれる。例えば、撮影画像と書込情報とを合成して画像配信設備に送信する例について説明したが、撮影画像のみを画像配信設備に送信してもよいし、付帯情報に撮影画像の撮影位置および撮影方向とが付加された撮影画像のみを画像配信設備に送信してもよい。すなわち、任意の情報が書き込まれていない撮影画像であっても、他の船舶で航海の参考になる場合があるので、画像配信設備に集約することが望ましい。また、付帯情報に航海情報を付加するようにしたが、付帯情報以外の情報に航海情報を付加してもよいし、航海情報自体を付帯情報として撮影画像に付帯させてもよい。さらに、付帯情報を暗号化するようにしたが、付帯情報に付加された航海情報のみを暗号化してもよい。また、配信要求に船舶Ｓの位置および針路などを含むようにしたが、時刻や日時、季節などの他、船舶Ｓの速度などを含むようにしてもよい。これに伴い、配信要求に基づいて配信エリアを設定する場合には、時刻や日時、季節、船舶Ｓの速度など様々な情報を考慮して設定してもよい。
【符号の説明】
【００７１】
１          船舶用画像配信システム
２          携帯端末
３          海図表示装置（船舶用画像管理装置）
３１        海図情報データベース
３２        撮影画像データベース（撮影画像記憶手段）
３２１      撮影画像
３２１ｂ    付帯情報
３３        書込情報データベース（書込情報記憶手段）
３３１      書込情報
３３１ｃ    履歴情報
３４        タッチパネル（表示手段、情報書込手段）
３６        情報統合部（情報統合手段）
３７        表示制御部（表示制御手段）
３８        配信要求部
３９        外部通信部（外部通信手段）
３Ａ        船内通信部
４          画像配信設備
４１        配信画像データベース（配信画像記憶手段）
４２        配信サーバ
４２１      通信部
４２２      画像登録部
４２３      画像配信部（画像配信手段）
５２        船舶情報データベース
【図１】
2019074970.tif 000003
【図２】
2019074970.tif 000004
【図３】
2019074970.tif 000005
【図４】
2019074970.tif 000006
【図５】
2019074970.tif 000007
【図６】
2019074970.tif 000008
【図７】
2019074970.tif 000009
【図８】
2019074970.tif 000010
【図９】
2019074970.tif 000011
【図１０】
2019074970.tif 000012
【図１１】
2019074970.tif 000013
【図１２】
2019074970.tif 000014
【図１３】
2019074970.tif 000015